(57)【特許請求の範囲】
【請求項１】
長手方向を左右方向とし、下面を接地面として床等の載置面上に載置されたとき、上面には足又は手を打ち当てたり押し当てたりするための当て面が左右方向に形成される血行促進具であって、
前記接地面は、左右方向及び上下方向と直交する前後方向において下方に凸状となる曲面を有する一方、
前記当て面は、前記接地面の凸状曲面と前後方向の同位置において上方に凸状となる曲面を有し、
前記当て面の下方には、その当て面に載せた足又は手との干渉を防止するために前記接地面を含んで前後方向に貫通するトンネル状の凹部が形成されるとともに、その凹部の左右上端は左右方向中央部にて前記当て面に最接近するアーチ状の連結面で連結され、
左右方向中央部において前後方向に位置する足又は手を前記当て面に載せたとき、足首又は手首が前記凹部のアーチ状連結面の頂点付近に位置し、足又は手を上方から前記当て面に打ち当てたり押し当てたりする動作に伴って、筋肉の伸縮作用により血行が促進されることを特徴とする血行促進具。
【請求項２】
長手方向を左右方向とし、下面を接地面として床等の載置面上に載置されたとき、上面には足又は手を打ち当てたり押し当てたりするための当て面が左右方向に形成される血行促進具であって、
前記接地面は、左右方向及び上下方向と直交する前後方向において下方に凸状となる曲面を有する一方、
前記当て面は、前記接地面の凸状曲面と前後方向の同位置において上方に凸状となる曲面を有し、
前記当て面の下方には、その当て面に載せた足又は手との干渉を防止するために前記接地面を含んで前後方向に貫通するトンネル状の凹部が形成されるとともに、その凹部の左右上端は左右方向中央部にて前記当て面に最接近するアーチ状の連結面で連結され、
左右方向中央部において前後方向に位置する足又は手を前記当て面に載せたとき、足首又は手首が前記凹部のアーチ状連結面の頂点付近に位置し、足又は手を前後方向に移動させるように前記当て面に押し当てる動作に伴って、筋肉の伸縮作用により血行が促進されることを特徴とする血行促進具。
【請求項３】
左右方向から見たとき、前記当て面に形成される凸状曲面と前記接地面に形成される凸状曲面とは、円弧、楕円、双曲線、放物線、その他の曲線からそれぞれ任意に選択し又は組み合わせて構成されている請求項１又は２に記載の血行促進具。
【発明の詳細な説明】
【０００１】
【発明の属する技術分野】
本発明は、血行促進具に関する。
【０００２】
【従来の技術】
体内の血行を促進するのに最も効果的な手段は運動であることが従来より知られている。
【０００３】
図１４の人体模式図を参照して体内の血流状態を説明する。心臓Ｈｅは収縮時のポンプ作用により（最高血圧）、血液を動脈Ａｒへ送り出す。血液は動脈Ａｒからさらに毛細血管Ｃａへと達し、手Ｈａ、足Ｆｏをはじめとする体内各部へ酸素や栄養素を供給する。次に、心臓は伸張して（最低血圧）、各部の血液を炭酸ガスや老廃物とともに静脈Ｖｅを通じて吸い込もうとするが、送り出しの時ほどスムーズには行われない。それは、末端まで到達した血液全量を回収する能力を心臓Ｈｅがもともと与えられていないからであり、また、静脈Ｖｅの各所に逆流防止弁Ｖａが設けられているからでもある。ここで、末端にある血液を心臓へ送り返すために重要な働きをしているのが筋肉Ｍｕの伸縮作用である。筋肉Ｍｕの伸縮によって血管が押圧され、静脈Ｖｅの逆流防止弁Ｖａを押し開けて肺Ｌｕを経て心臓Ｈｅへ向かう継続した流れが生ずる。
【０００４】
【発明が解決しようとする課題】
静脈流を生み出す筋肉の伸縮作用を得るには運動が重要な要素となる。ただしここで言う運動とは、本格的なスポーツのみならず、日常の歩行や家事労働・起立動作・寝返り等も含まれる。
【０００５】
特に問題となるのは、身体障害者・寝たきりの入院患者・筋力の衰えた老人等である。いずれも体の動きを著しく制限された状態にあるため筋肉の伸縮作用による血行が充分に得られず、血行障害に伴う諸症状を引き起こしていた。一方、健常者の日常生活においては血行障害はさほど深刻ではないが、健康増進のため手軽に血行促進が図れる器具が望まれていた。本発明の課題は、このように体の動きを著しく制限された者は勿論、健常者でも僅かの動きで血行促進が図れる血行促進具を提供することである。
【０００６】
【課題を解決するための手段及び作用・効果】
上記の課題を解決するために、本発明の血行促進具は、
長手方向を左右方向とし、下面を接地面として床等の載置面上に載置されたとき、上面には足又は手を打ち当てたり押し当てたりするための当て面が左右方向に形成される血行促進具であって、
前記接地面は、左右方向及び上下方向と直交する前後方向において下方に凸状となる曲面を有する一方、
前記当て面は、前記接地面の凸状曲面と前後方向の同位置において上方に凸状となる曲面を有し、
前記当て面の下方には、その当て面に載せた足又は手との干渉を防止するために前記接地面を含んで前後方向に貫通するトンネル状の凹部が形成されるとともに、その凹部の左右上端は左右方向中央部にて前記当て面に最接近するアーチ状の連結面で連結され、
左右方向中央部において前後方向に位置する足又は手を前記当て面に載せたとき、足首又は手首が前記凹部のアーチ状連結面の頂点付近に位置し、足又は手を上方から前記当て面に打ち当てたり押し当てたりする動作に伴って、筋肉の伸縮作用により血行が促進されることを特徴とする。
また、上記の課題を解決するために、本発明の血行促進具は、
長手方向を左右方向とし、下面を接地面として床等の載置面上に載置されたとき、上面には足又は手を打ち当てたり押し当てたりするための当て面が左右方向に形成される血行促進具であって、
前記接地面は、左右方向及び上下方向と直交する前後方向において下方に凸状となる曲面を有する一方、
前記当て面は、前記接地面の凸状曲面と前後方向の同位置において上方に凸状となる曲面を有し、
前記当て面の下方には、その当て面に載せた足又は手との干渉を防止するために前記接地面を含んで前後方向に貫通するトンネル状の凹部が形成されるとともに、その凹部の左右上端は左右方向中央部にて前記当て面に最接近するアーチ状の連結面で連結され、
左右方向中央部において前後方向に位置する足又は手を前記当て面に載せたとき、足首又は手首が前記凹部のアーチ状連結面の頂点付近に位置し、足又は手を前後方向に移動させるように前記当て面に押し当てる動作に伴って、筋肉の伸縮作用により血行が促進されることを特徴とする。
【０００７】
上記の血行促進具によれば、使用者は当て面の上方前後方向に位置する足または手を軽く上下動させて当て面に打ち当て、または押し当てるだけで、筋肉の伸縮作用による血行促進が図れる。その際、当て面が例えば凸状曲面又はその一部で形成されていれば、打ち当てまたは押し当ての痛みや引っかかりを伴うことなく楽に繰り返し動作が行える。また、当て面下方に凹部が形成されていれば、足のかかとや手の先等が打撃などの際に血行促進具の側面に当たることが回避できる。すなわち、上記凹部が一種の逃げ部となる。そして、接地面が下に凸状の曲面で形成されているので、足または手を激しく打ち当てても接地面が回転して、床等の載置面との間に耳障りな衝撃音や摩擦音を発生せず、快適な血行促進運動ができる。さらに、接地点が凸状曲面により局部的になるので、押付時の反作用が大きく、血行促進作用が高い。
【０００８】
また、手又は足の、当て面に対する力の作用方向（作用点）が変わっても（例えば斜めになっても）、接地面が下に凸状曲面のため、作用方向を向くように（例えばほぼ直角になるように）その凸状曲面が床等に対し所定角度転動する。よって、打ち当て又は押し当て方向の自由度が高い。
【０００９】
さらに、下に凸状の曲面（接地面）において、当該血行促進具を往復的に揺動させながら、上記当て面に足又は手を押し付けつつ、前後に動かして血行を促進させる使い方もできる。
【００１０】
さらに本発明の血行促進具は、前記凹部が、前面および後面を前後に貫通する空所で形成され、これにより、凹部を大きくとれるので、足または手を大きく激しく上下動させて打ち当てを行っても、足のかかとその他の部分が当該器具に当たったり、引っかかったりすることを気にせずに血行促進動作を行える。このように凹部を空所として大きくとれば重量が軽くなるので持ち運びに便利となるが、肉厚が薄くなってもアーチ型構造により充分な強度を保持している。なお、上記空所の両側壁面は前記接地面から立ち上がる（例えばほぼ垂直に）対向壁面とされ、その対向壁面の上端同士をつなぐ天井面を上に凸となる連結面（アーチ面）とすることができる。これにより、上記当て面の強度を確保しつつ、一層凹部（空所）を大きくとることができ、足や手との干渉を防ぐ上でより効果的なものとなる。
【００１１】
【発明の実施の形態】
以下、本発明の実施の形態を図面に示す実施例を参照して説明する。
図１は、本発明にかかる血行促進具の斜視図、図２は平面図、図３は正面図、図４は底面図、図５は右側面図をそれぞれ示している。なお、背面図は正面図と、左側面図は右側面図とそれぞれ同一である。また、以下の説明において、図１のＸ方向を左右方向、Ｙ方向を前後方向、Ｚ方向を上下方向と呼ぶことにする。この血行促進具は、全長Ｌ、全幅Ｗ、全高Ｈの木製角材（四角柱）を切断加工して製造されることを想定している。角材長手方向を左右方向に置き、その上面全体を当て面１とする。この当て面１は、その上方前後方向に位置する足または手を打ち当てたり押し当てたりすることで血行の促進を図るものである。当て面１とは反対側は接地面２となり、使用時はこの面を下にして床等の載置面上に置かれる。当て面１の下方には、前面４から後面５へ接地面２を含んで前後方向に貫通するトンネル状の空所３が凹部として設けられている。空所３は、その左右両端にそれぞれ垂直状に立つ内側面（壁面）３１，３１と、左右内側面３１，３１の上端を連結して上に凸となるアーチ状に延びるアーチ（連結）面３２とで構成された大きな空洞を形成する。その結果、アーチ面３２は左右方向中央部にて当て面１に最接近し、接地面２は空所３を挟んで左右に存在することとなる。当て面１と接地面２は前後方向の同位置において、緩やかな凸状曲面で形成されている。当て面１は上方に凸状の曲面であり、接地面２は下方に凸状の曲面である。ここでは複数の異なる曲率半径を組み合わせた円弧状の曲面としているが、ほぼ１つの内弧に沿って形成してもよい。アーチ面３２も複数の異なる曲率半径を組み合わせた円弧状の曲面とした。空所３の長さ（間口）がＬ１、左右内側面３１上端までの高さがＨ１、アーチ面３２上端までの高さ（凹部３の最高高さ）がＨ２で表される。６は右側面、７は左側面でいずれも平面状である。
【００１２】
各部のおおよその寸法割合の一例を以下に示すが、本発明はこれに限定されない。全長Ｌ＝１００としたとき、全幅Ｗ＝２０〜５０、全高Ｈ＝２０〜５０、凹部間口Ｌ１＝４０〜８０、内側面上端高さＨ１＝５〜３０、凹部高さＨ２＝１０〜４０程度である。全長Ｌは２０〜３０ｃｍくらいが扱いやすい。
【００１３】
次に図６を参照して、本発明にかかる血行促進具の使用状態を説明する。体を横たえた状態で足Ｆｏ（または手Ｈａ）を当て面１にのせると、足首（または手首）のあたりがちょうど当て面１から空所３のアーチ面３２の頂点付近に位置する。ここで足首（または手首）を少し持ち上げて当て面１に軽く打ち当てるか押し当てる動作を行うと、筋肉の伸縮作用によりこの部位の毛細血管等に溜まった血液が速やかに静脈に送り込まれ血行が促進される。このとき、当て面１が木製で上方に凸状の曲面に形成されていることや、空所３のアーチ面３２により当て面１の下方に広い凹部が存在することによって、足Ｆｏ（または手Ｈａ）を大きく激しく上下動させて打ち当てを行っても、痛みや引っかかりを伴うことなく楽に繰り返し動作が行える。また、接地面２も下方に凸状の曲面に形成されているので、足Ｆｏ（または手Ｈａ）を激しく打ち当てても全体が接地面２で回転して傾き、地面や床等の載置面との間に耳障りな摩擦音を発生しない。
【００１４】
ここで、本発明の血行促進具の材質は、軽く自由に加工できる点で、樫、桜、杉、桧、松等の一般木材を用いるとよいが、プラスチックを用いた一体成型や切断加工などを採用してもよい。切断加工前の形状として、四角柱状以外に六角等の他の角柱状や円柱状、楕円柱状などでもよく、円柱状や楕円柱状の場合はその外形面を当て面１や接地面２の凸状曲面に使用できることがある。また、当て面１と接地面２に形成される凸状曲面は、円弧、楕円、双曲線、放物線、その他の曲線等から任意に選択しまたは組み合わせでき、当て面１と接地面２とが異なる形状であっても差し支えない。このほか各面をつなぐ角の部分には適宜の丸味が設けられているが、図では省略している。
【００１５】
さらに、当て面１、接地面２、空所（凹部）３についてそれぞれ次のような変形が可能である。
（１）当て面１……全長Ｌにわたって設ける必要はなく、左右方向中央部付近に足Ｆｏ（または手Ｈａ）を打ち当てまたは押し当てできる当て面長さｌがあればよい（図７参照）。
（２）接地面２……全長Ｌにわたって設けることもできる（図８、図９参照）。（３）空所（凹部）３……前面４から後面５へ前後方向に貫通しない場合がある（図８、図９参照）。貫通しない場合、前面４・後面５の両方に設けるときといずれか片方のみ（バランスが悪ければ重り等で調整する）に設けるときがある。左右方向についても、凹部３を全長Ｌにわたって設けることができる（図９参照）。当て面長さｌに対して凹部長さＬ１は大きいときも小さいときもある。なお、凹部３の形状について、アーチ面３２は必須ではなく、凹部３の天井面も平面３２’とし、全体として四角柱状空間としてもよい（図７参照）。さらに左右内側面３１も垂直状でなくてもよいから、例えば左右内側面３１とアーチ面３２とが一体となって楕円状面を形成するなどの変更も可能である。また、加工により前面４および後面５が最終的になくなる場合（図９参照）がある。以下、これらの変形例について更に詳しく説明する。
【００１６】
図７は図１の第１変形例を示す斜視図である。この例では、当て面１は全長Ｌに設けず左右方向中央部付近のみとし、その左右上面は平面１’状のままとした。当て面長さｌは全長Ｌの１／３程度、深さｄは例えば数ｍｍ程度である。当て面１は溝状に形成されるので、足Ｆｏ（または手Ｈａ）を当て面１に激しく打ちあてても足Ｆｏ（または手Ｈａ）が当て面１からずれたり左右方向に落下するのを防止できる。なお、図７では凹部３の天井面３２’も平面とし、全体として四角柱状空間としている。
【００１７】
図８は第２変形例を示す正面図とＢＢ矢視中央側断面図である。この例では、左右の垂直内側面３１・天井面３２’・中央リブ８の壁３３で形成される凹部３は前後方向に貫通せず、前面４と後面５にそれぞれ設けられている。接地面２は全長Ｌにわたって形成されている。Ｗ１は中央リブ８の幅を示す。
【００１８】
図９は第３変形例を示す正面図とＣＣ矢視中央側断面図である。この例では、全体がほぼ鼓形状の本体リブ８’で形成され、凹部３は本体リブ８’の壁３３’だけで全長Ｌにわたって構成されている。図９には加工により前面４および後面５が最終的になくなった例を示した。なお、図９（ｂ）から明かなように、上下左右を逆にしても同様に使用できる。
【００１９】
また、図１０に示すように、例えば図１の血行促進具を立てて、その側面６又は７の一方を座面（接地面）とし、他方を当て面とし、このように立てた状態で手等をその当て面（７）に打ち当て（又は押し当てて）、血行促進を図ることもできる。この場合、接地面（６又は７）は床面等に安定に着座できる平面、凹面その他の形態をとり得る。このように立てると、一定の高さをかせぐので、特に手を打ちつけたりする際にやりやすい利点がある。
【００２０】
また、図１１に示すように図１等の血行促進具は、手や足を打ち当てる（又は押し当てる）方向、言い換えれば力の作用方向が図のようにＡ、Ｂ、Ｃと変わっても、接地面２が下に凸となる湾曲形状としているため、その作用方向Ａ、Ｂ、Ｃ等に応じて揺動して力を受ける。その結果、力の作用方向と当て面１とがほぼ直角となりやすく、血行促進具の設置位置にあまり影響されない比較的自由な使用形態が得られる。
【００２１】
さらに、図１２に示すように、接地面２の転動（揺動）を利用して、足を前後に移動させるように血行促進具の当て面１に押し当てるようにすれば、その揺動により足の広い範囲を当て面１に押し付けることができる。
【００２２】
なお、図１３に示すように、接地面２は下に凸となる円弧状等の湾曲形成をなす一方で、当て面５０は、平面とされてもよい。また、この図１３に示すように、図１、図７、図８、図９等に示す凹部３は省略することもできる。
【図面の簡単な説明】
【図１】本発明の一実施例である血行促進具の斜視図。
【図２】図１の血行促進具の平面図。
【図３】図１の血行促進具の正面図。
【図４】図１の血行促進具の底面図。
【図５】図１の血行促進具の右側面図。
【図６】本発明にかかる血行促進具の使用状態の一例を表し、図３のＡＡ矢視中央側断面図。
【図７】図１の血行促進具の第１変形例を示す斜視図。
【図８】図１の血行促進具の第２変形例を示し、（ａ）は正面図、（ｂ）はＢＢ矢視中央側断面図。
【図９】図１の血行促進具の第３変形例を示し、（ａ）は正面図、（ｂ）はＣＣ矢視中央側断面図。
【図１０】血行促進具を立てて使用する一例を示す正面図。
【図１１】図１等の血行促進具の当て面に異なる方向から力が作用した場合の作用説明図。
【図１２】図１等の血行促進具を揺動させながら使用する一例を示す図。
【図１３】当て面が平坦で、中間部に凹部がない血行促進具の一例を示す斜視図。
【図１４】体内の血流状態を説明する人体模式図。
【符号の説明】
１      当て面
２      接地面
３      空所（凹部）
３１    左右の垂直内側面
３２    アーチ面
４      前面
５      後面
【図１】
0004170509.tif 000002
【図２】
0004170509.tif 000003
【図３】
0004170509.tif 000004
【図４】
0004170509.tif 000005
【図５】
0004170509.tif 000006
【図６】
0004170509.tif 000007
【図７】
0004170509.tif 000008
【図８】
0004170509.tif 000009
【図９】
0004170509.tif 000010
【図１０】
0004170509.tif 000011
【図１１】
0004170509.tif 000012
【図１２】
0004170509.tif 000013
【図１３】
0004170509.tif 000014
【図１４】
0004170509.tif 000015